【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
オン・オフ制御デバイスとエネルギー貯蔵素子を有する単位変換器を少なくとも２つ以上直列接続したアームと、
２つ以上の前記単位変換器にそれぞれ前記エネルギー貯蔵素子からの制御用電力を供給する２つ以上の電力供給手段と、
を備え、
前記２つ以上の電力供給手段のそれぞれの出力端子がそれぞれのダイオードを介して並列に接続されている
ことを特徴とする電力変換装置。
【請求項２】
請求項１において、
２つ以上の前記単位変換器がそれぞれ生成する所定の共通電位を共有して接続され、
前記オン・オフ制御デバイスのオン・オフに関わらず、前記エネルギー貯蔵素子の少なくとも１端子の電位が前記共通電位を基準として安定している
ことを特徴とする電力変換装置。
【請求項３】
請求項１または請求項２において、
前記エネルギー貯蔵素子がコンデンサである
ことを特徴とする電力変換装置。
【請求項４】
請求項３において、
２つ以上の前記単位変換器が双方向チョッパを備えて構成され、
２つ以上の前記双方向チョッパに具備される前記コンデンサの少なくとも１端子が互いに電気的に接続されている
ことを特徴とする電力変換装置。
【請求項５】
請求項３において、
２つ以上の前記単位変換器がハーフブリッジを備えて構成され、
２つ以上の前記ハーフブリッジに具備される前記コンデンサの少なくとも１端子が互いに電気的に接続されている
ことを特徴とする電力変換装置。
【請求項６】
請求項４において、
前記アームを６つ備えて構成され、
当該の各アームに少なくとも１つのリアクトルを直列接続された回路が三相ブリッジ状に接続されている
ことを特徴とする電力変換装置。
【請求項７】
請求項４において、
第１、第２の巻線を有する変圧器と、
３つの前記アームと、
を備え、
前記変圧器の第１の巻線に交流系統あるいは交流負荷が接続され、
前記変圧器の第２の巻線は千鳥結線で構成され、
３つの前記アームの一端を前記変圧器の第２の巻線の千鳥結線の各端子にそれぞれ接続され、３つの前記アームの他端を第１の直流端子に接続され、
前記千鳥結線の中性点が第２の直流端子に接続される
ことを特徴とする電力変換装置。
【請求項８】
請求項４において、
第１、第２の巻線を有する変圧器と、
３つの正側の前記アームと、３つの負側の前記アームと、
を備え、
前記変圧器の第１の巻線に交流系統あるいは交流負荷が接続され、
前記変圧器の第２の巻線は千鳥結線で構成され、
前記３つの正側のアームの一端を前記変圧器の第２の巻線の正側の千鳥結線の各端子にそれぞれ接続され、前記３つの正側のアームの他端を第１の直流端子に接続され、
前記３つの負側のアームの一端を前記変圧器の第２の巻線の負側の千鳥結線の各端子にそれぞれ接続され、前記３つの負側のアームの他端を第２の直流端子に接続される
ことを特徴とする電力変換装置。
【請求項９】
請求項４に記載の電力変換装置であって、
第１、第２、第３の巻線を有する変圧器と、
６つの前記アームと、
を備え、
前記変圧器の第１の巻線に交流系統あるいは交流負荷が接続され、
前記変圧器の第２、第３の巻線はそれぞれＹ結線で構成され、該Ｙ結線の中性点が互いに接続され、
６つの前記アームの内の３つのアームの一端を前記変圧器の第２の巻線のＹ結線の各端子にそれぞれ接続され、前記３つのアームの他端を第１の直流端子に接続され、
６つの前記アームの内の他の３つのアームの一端を前記変圧器の第３の巻線のＹ結線の各端子にそれぞれ接続され、前記他の３つのアームの他端を第２の直流端子に接続される
ことを特徴とする電力変換装置。
【請求項１０】
請求項５に記載の電力変換装置であって、
３つの前記アームを備え、
３つの前記アームをΔ結線またはＹ結線の構成にして、
前記Δ結線またはＹ結線の各端子が交流系統に接続される
ことを特徴とする電力変換装置。
【請求項１１】
請求項５に記載の電力変換装置であって、
第１、第２の巻線を有する変圧器と、
３つの前記アームにリアクトルをそれぞれ直列に接続された３つの直列回路と、
を備え、
前記３つの直列回路をΔ結線の構成にして、該Δ結線の各端子が前記変圧器の第２の巻線に接続され、
前記変圧器の第１の巻線の各端子が交流系統に接続される
ことを特徴とする電力変換装置。
【請求項１２】
請求項５に記載の電力変換装置であって、
第１、第２の巻線を有する変圧器と、
３つの前記アームと、
を備え、
３つの前記アームをＹ結線の構成にして、該Ｙ結線の各端子が前記変圧器の第２の巻線に接続され、
前記変圧器の第１の巻線の各端子が交流系統に接続される
ことを特徴とする電力変換装置。
【請求項１３】
直列に接続された第１、第２のオン・オフ制御デバイスと該第１、第２のオン・オフ制御デバイスの直列回路の両端に接続された第１のコンデンサとを有する第１の双方向チョッパと、
前記第１のコンデンサから電力を受けて所定の電圧に変換して出力する第１の電力供給手段と、
前記第２のオン・オフ制御デバイスの両端を短絡する第１の機械スイッチと、
前記第１の電力供給手段の出力端子に接続された第１の逆流防止ダイオードと、
前記第１のコンデンサの両端の電圧を検出する第１の電圧検出手段と、
を具備する第１の単位変換器と、
直列に接続された第３、第４のオン・オフ制御デバイスと該第３、第４のオン・オフ制御デバイスの直列回路の両端に接続された第２のコンデンサとを有する第２の双方向チョッパと、
前記第２のコンデンサから電力を受けて所定の電圧に変換して出力する第２の電力供給手段と、
前記第３のオン・オフ制御デバイスの両端を短絡する第２の機械スイッチと、
前記第２の電力供給手段の出力端子に接続された第２の逆流防止ダイオードと、
前記第２のコンデンサの両端の電圧を検出する第２の電圧検出手段と、
を具備する第２の単位変換器と、
前記第１、第２、第３、第４のオン・オフ制御デバイス、および前記第１、第２の機械スイッチのオン・オフを制御するダブルセル制御手段と、
を備え、
前記第１のコンデンサの一端と前記第２のコンデンサの一端とが共有点として接続され、
前記第１の電力供給手段の出力端子と前記第２の電力供給手段の出力端子とが前記第１の逆流防止ダイオードと前記第２の逆流防止ダイオードとを介して並列に接続されて、前記ダブルセル制御手段の電源端子に接続され、
前記第１、第２の電圧検出手段のそれぞれの電圧検出値が前記ダブルセル制御手段に入力され、
前記第１、第２のオン・オフ制御デバイスの接続点と、前記第２、第３のオン・オフ制御デバイスの接続点とが出力端子となる
ことを特徴とするダブルセル。
【請求項１４】
直列に接続された第１、第２のオン・オフ制御デバイスと該第１、第２のオン・オフ制御デバイスの直列回路の両端に接続された第１、第２のコンデンサの直列回路と前記第１、第２のオン・オフ制御デバイスの接続点と前記第１、第２のコンデンサの接続点との間に接続された第１の機械スイッチとを有する第１のハーフブリッジと、
前記第１、第２のコンデンサの直列回路の両端から電力を受けて所定の電圧に変換して出力する第１の電力供給手段と、
該第１の電力供給手段の出力端子に接続された第１の逆流防止ダイオードと、
前記第１のコンデンサの両端の電圧を検出する第１の電圧検出手段と、
前記第２のコンデンサの両端の電圧を検出する第２の電圧検出手段と、
を具備する第１の単位変換器と、
直列に接続された第３、第４のオン・オフ制御デバイスと該第３、第４のオン・オフ制御デバイスの直列回路の両端に接続された第３、第４のコンデンサの直列回路と前記第３、第４のオン・オフ制御デバイスの接続点と前記第３、第４のコンデンサの接続点との間に接続された第２の機械スイッチとを有する第２のハーフブリッジと、
前記第３、第４のコンデンサの直列回路の両端から電力を受けて所定の電圧に変換して出力する第２の電力供給手段と、
該第２の電力供給手段の出力端子に接続された第２の逆流防止ダイオードと、
前記第３のコンデンサの両端の電圧を検出する第３の電圧検出手段と、
前記第４のコンデンサの両端の電圧を検出する第４の電圧検出手段と、
を具備する第２の単位変換器と、
前記第１、第２、第３、第４のオン・オフ制御デバイス、および前記第１、第２の機械スイッチのオン・オフを制御するダブルセル制御手段と、
を備え、
前記第１、第２のコンデンサの接続点と前記第３、第４のコンデンサの接続点とが共有点として接続され、
前記第１の電力供給手段の出力端子と前記第２の電力供給手段の出力端子とが前記第１の逆流防止ダイオードと前記第２の逆流防止ダイオードとを介して並列に接続されて、前記ダブルセル制御手段の電源端子に接続され、
前記第１、第２、第３、第４の電圧検出手段のそれぞれの電圧検出値が前記ダブルセル制御手段に入力し、
前記第１、第２のオン・オフ制御デバイスの接続点と、前記第２、第３のオン・オフ制御デバイスの接続点とが出力端子となる
ことを特徴とするダブルセル。
【請求項１５】
請求項１３または請求項１４に記載のダブルセルを備えた電力変換装置。
【手続補正２】
【補正対象書類名】明細書
【補正対象項目名】０００７
【補正方法】変更
【補正の内容】
【０００７】
前記の課題を解決して、本発明の目的を達成するために、以下のように構成した。
すなわち、本発明の電力変換装置は、オン・オフ制御デバイスとエネルギー貯蔵素子を有する単位変換器を少なくとも２つ以上直列接続したアームと、２つ以上の前記単位変換器にそれぞれ前記エネルギー貯蔵素子からの制御用電力を供給する２つ以上の電力供給手段と、を備え、前記２つ以上の電力供給手段のそれぞれの出力端子がそれぞれのダイオードを介して並列に接続されていることを特徴とする。
また、その他の手段は、発明を実施するための形態のなかで説明する。